(57)【要約】【課題】従来の端子板よりも多くの回線を接続することができるとともに、設置空間を有効に使用することができる端子板を提供する。【解決手段】絶縁材料で形成された直方体状の端子取付部材１０と、前記端子取付部材１０の第１の面Ａから一方の端部が突出すると共に前記第１の面に相対向する第２の面Ｂから他方の端部が突出した状態で前記端子取付部材１０に複数配設されている第１の端子２１と、前記端子取付部材１０の前記第１の面Ａに隣接する第３の面Ｃから一方の端部が突出すると共に前記第３の面Ｃに相対向する第４の面Ｄから他方の端部が突出した状態で前記端子取付部材１０に複数配設されている第２の端子２２とを有する。【選択図】図１
2009152150.tif 000002
【特許請求の範囲】
【請求項１】
絶縁材料で形成された直方体状の端子取付部材と、
前記端子取付部材の第１の面から一方の端部が突出すると共に前記第１の面に相対向する第２の面から他方の端部が突出した状態で前記端子取付部材に複数配設されている第１の端子と、
前記端子取付部材の前記第１の面に隣接する第３の面から一方の端部が突出すると共に前記第３の面に相対向する第４の面から他方の端部が突出した状態で前記端子取付部材に複数配設されている第２の端子とを有する
ことを特徴とする端子板。
【請求項２】
絶縁材料で形成された直方体状の端子取付部材と、
前記端子取付部材の第１の面から一方の端部が突出すると共に前記第１の面に隣接する４つの第２の面のうちの少なくとも１つの面から他方の端部が突出した状態で前記端子取付部材に複数配設されている第１の端子と、
前記第１の面に相対向する第３の面から一方の端部が突出すると共に前記第１の面に隣接する４つの第２の面のうち前記１つの面以外の面から他方の端部が突出した状態で前記端子取付部材に複数配設されている第２の端子とを有する
ことを特徴とする端子板。
【請求項３】
絶縁材料で形成された直方体状の端子取付部材と、
前記端子取付部材の第１の面から一方の端部が突出すると共に前記第１の面に相対向する第２の面から他方の端部が突出した状態で前記端子取付部材に複数配設されている第１の端子と、
前記第１の面に隣接する４つの第３の面のうち少なくとも１つの面から両端部が突出した状態で前記端子取付部材に複数配設されている第２の端子とを有する
ことを特徴とする端子板。
【請求項４】
絶縁材料で形成された直方体状の端子取付部材と、
前記端子取付部材の第１の面から両端部が突出した状態で前記端子取付部材に複数配設されている第１の端子と、前記第１の面に相対向する第２の面から両端部が突出した状態で前記端子取付部材に複数配設されている第２の端子と、前記第１の面に隣接する４つの第３の面のうち少なくとも１つの面から両端部が突出した状態で前記端子取付部材に複数配設されている第３の端子とを有する
ことを特徴とする端子板。
【発明の詳細な説明】
【技術分野】
【０００１】
本発明は、中間配線盤に配設されている端子板に関する。
【背景技術】
【０００２】
従来から事業所などの施設内の回線変更を容易に行うものとして、中間配線盤が知られている。このような中間配線盤には、図９（ａ）に示すような、平板状の端子取付部材２と当該端子取付部材２の相対向する面を貫通する複数の端子３とからなる端子板１が配設されており、この端子板１によって事業所などの施設内の回線変更を容易に行うことができるようになっている。
【０００３】
具体的には、図９（ａ）に示すような端子板１は、図９（ｂ）に示すように取付架台４に配設されている。詳言すると、取付架台４の表面側に図示しないジャンパ線を取り付ける端子３の端部が臨み、取付架台４の裏面側に電話機や交換機からの通信線５を接続する端子３の端部が臨むように、取付架台４に配設されている。
【０００４】
そして、このような端子板１を２枚使用し、そのうちの１枚の端子板１の、取付架台４の裏面側に並んでいる端子３の端部に、予め電話機からの通信線５を接続しておく。そして、もう１枚の端子板１の、取付架台４の裏面側に並んでいる端子３の端部に、予め交換機からの通信線５を接続しておく。そして、２枚の端子板１の取付架台４の表面側に並んでいる端子３の端部同士を、ジャンパ線で接続する。
【０００５】
このように中間配線盤の端子板を介して回線を形成すると、ジャンパ線を繋ぎ変えるだけで、施設内の回線変更を容易に行うことができる。
【０００６】
なお、本発明に関する公知技術として以下に示すような特許公報を挙げることができる。
【０００７】
【特許文献１】特開昭５９−１６５３８２号公報
【発明の開示】
【発明が解決しようとする課題】
【０００８】
しかしながら、上述したような従来の端子板１においては、通信線５やジャンパ線を接続する端子３の端部が、端子取付部材２の相対向する２つの面にしか存在しないため、回線数の増加に柔軟に対応することができないという問題があった。例えば、回線数の増加に伴い、上述したような従来の端子板１を増設することを考えると、平面的に並べるか重ねるようにして並べるかの２つの方法が通常考えられる。しかしながら平面的に並べようとしても、設置空間の平面的なスペースが足りない場合は増設することができない。また重ねるようにして並べようとしても、作業員が通信線等の接続作業をするのに充分なスペースが設置空間内に確保できない場合は増設することができない。
【０００９】
本発明はこのような事情に鑑み、従来の端子板よりも多くの回線を接続することができるとともに、設置空間を有効に使用することができる端子板を提供することを目的とする。
【課題を解決するための手段】
【００１０】
上記課題を解決する本発明の第１の態様は、絶縁材料で形成された直方体状の端子取付部材と、前記端子取付部材の第１の面から一方の端部が突出すると共に前記第１の面に相対向する第２の面から他方の端部が突出した状態で前記端子取付部材に複数配設されている第１の端子と、前記端子取付部材の前記第１の面に隣接する第３の面から一方の端部が突出すると共に前記第３の面に相対向する第４の面から他方の端部が突出した状態で前記端子取付部材に複数配設されている第２の端子とを有することを特徴とする端子板にある。
【００１１】
かかる第１の態様では、直方体状の端子取付部材の第１の面と、その第１の面に相対向する第２の面と、第１の面に隣接する第３の面と、その第３の面に相対向する第４の面の、計４つの面から突出している各端子の端部を回線の接続に利用することができる。
【００１２】
本発明の第２の態様は、絶縁材料で形成された直方体状の端子取付部材と、前記端子取付部材の第１の面から一方の端部が突出すると共に前記第１の面に隣接する４つの第２の面のうちの少なくとも１つの面から他方の端部が突出した状態で前記端子取付部材に複数配設されている第１の端子と、前記第１の面に相対向する第３の面から一方の端部が突出すると共に前記第１の面に隣接する４つの第２の面のうち前記１つの面以外の面から他方の端部が突出した状態で前記端子取付部材に複数配設されている第２の端子とを有することを特徴とする端子板にある。
【００１３】
かかる第２の態様では、直方体状の端子取付部材の第１の面と、その第１の面に隣接する２つの第２の面と、第１の面に相対向する第３の面の、計４つの面から突出している各端子の端部を、回線の接続に利用することができる。
【００１４】
本発明の第３の態様は、絶縁材料で形成された直方体状の端子取付部材と、前記端子取付部材の第１の面から一方の端部が突出すると共に前記第１の面に相対向する第２の面から他方の端部が突出した状態で前記端子取付部材に複数配設されている第１の端子と、前記第１の面に隣接する４つの第３の面のうち少なくとも１つの面から両端部が突出した状態で前記端子取付部材に複数配設されている第２の端子とを有することを特徴とする端子板にある。
【００１５】
かかる第３の態様では、端子取付部材の第１の面と、その第１の面に相対向する第２の面と、第１の面に隣接する第３の面の、計３つの面から突出している各端子の端部を、回線の接続に利用することができる。
【００１６】
本発明の第４の態様は、絶縁材料で形成された直方体状の端子取付部材と、前記端子取付部材の第１の面から両端部が突出した状態で前記端子取付部材に複数配設されている第１の端子と、前記第１の面に相対向する第２の面から両端部が突出した状態で前記端子取付部材に複数配設されている第２の端子と、前記第１の面に隣接する４つの第３の面のうち少なくとも１つの面から両端部が突出した状態で前記端子取付部材に複数配設されている第３の端子とを有することを特徴とする端子板にある。
【００１７】
かかる第４の態様では、直方体状の端子取付部材の第１の面と、その第１の面に相対向する第２の面と、第１の面に隣接する第３の面の、計３つの面から突出している各端子の端部を、回線の接続に利用することができる。
【発明の効果】
【００１８】
かかる本発明の端子板では、端子取付部材の３以上の面に端子の端部が配設されているので、従来の端子板よりも多くの回線を接続することができるとともに、設置空間を有効に使用することができる。
【発明を実施するための最良の形態】
【００１９】
以下、本発明の実施の形態を図面に基づき詳細に説明する。なお、以下の実施形態では、配線を端子に巻き付けることで固定する、ラッピングと呼ばれる配線の接続方法に適した端子板であるラッピング端子板を例示する。
【００２０】
（実施形態１）
図１は、本発明の実施形態１に係るラッピング端子板を示しており、（ａ）はその外観斜視図、（ｂ）はそのＹ−Ｙ’線断面図である。また、図２は本発明の実施形態１に係るラッピング端子板が取付架台に取り付けられた状態を示した図である。
【００２１】
これらの図に示すように、本実施形態に係るラッピング端子板１００は、端子取付部材１０と、第１の端子２１及び第２の端子２２とを有する。
【００２２】
本実施形態に係る端子取付部材１０は、直方体状の部材であり、絶縁材料で形成されている。端子取付部材１０を形成する材料は、絶縁材料であれば特に限定されるものではない。例えば、端子取付部材１０は、エポキシ樹脂で好適に形成することができる。
【００２３】
本実施形態に係る第１の端子２１は角柱状の部材であり、端子取付部材１０の１つの面である第１の面Ａと、その第１の面Ａに相対向する第２の面Ｂとから、端部が突出された状態で端子取付部材１０に複数配設されている。
【００２４】
また、本実施形態に係る第２の端子２２も角柱状の部材であり、端子取付部材１０の第１の面Ａに隣接する第３の面Ｃと、その第３の面Ｃに相対向する第４の面Ｄとから、端部が突出された状態で端子取付部材１０に複数配設されている。また、第１の端子２１と第２の端子２２は、端子取付部材１０内でずらして配設されており、両者の干渉が防止されている。
【００２５】
これら第１の端子２１及び第２の端子２２は、導電性を有する材料で形成されている。第１の端子２１及び第２の端子２２を形成する材料は、導電性を有する材料であれば特に限定されるものではない。例えば、金や銅合金等で好適に形成することができる。
【００２６】
本実施形態にかかるラッピング端子板１００は、各端子（第１の端子２１及び第２の端子２２）が、端子取付部材１０の、一組の相対向する２面（第１の面Ａと第２の面Ｂ）と、それらに直交するもう一組の相対向する２面（第３の面Ｃと第４の面Ｄ）に端部を臨ませるように、端子取付部材１０に配設されている。したがって、本実施形態にかかるラッピング端子板１００によれば、従来の端子板１よりも多くの通信線を接続することができるとともに、設置空間を有効に使用することができる。
【００２７】
具体的には、上述したような本実施形態に係るラッピング端子板１００は、図２に示すように、取付架台２００に取り付けられる。詳言すると、本実施形態に係るラッピング端子板１００は、取付架台２００の表面側に端子取付部材１０の第１の面Ａ、第３の面Ｃ及び第４の面Ｄが臨み、また取付架台２００の裏面側に端子取付部材１０の第２の面Ｂが臨むように、取付架台２００に取り付けられる。なお、図２に示すように、取付架台２００のラッピング端子板１００の下方に位置する部分には、取付架台２００を厚さ方向に貫通する貫通孔２０１が形成されており、取付架台２００の裏面側の通信線３０をこの貫通孔２０１から表面側に挿通させて、取付架台２００の表面側に臨んでいる各端子（第１の端子２１又は第２の端子２２）の端部に接続することができるようになっている。したがって、本実施形態に係るラッピング端子板１００によれば、端子取付部材１０の第２の面Ｂから突出している第１の端子２１の端部だけでなく、端子取付部材１０の第４の面Ｄから突出している第２の端子２２の端部も、通信線３０の接続に使用することができる。また、端子取付部材１０の第１の面Ａから突出している第１の端子２１の端部だけでなく、端子取付部材１０の第３の面Ｃから突出している第２の端子２２の端部も、図示しないジャンパ線の接続に使用することができる。
【００２８】
また、本実施形態に係るラッピング端子板１００の第１の端子２１及び第２の端子２２は、角柱状の形状を有している。これにより、ラッピングで接続された通信線５０やジャンパ線などが、第１の端子２１又は第２の端子２２から抜け落ちてしまうことを防止することができる。
【００２９】
（実施形態２）
図３は本発明の実施形態２に係るラッピング端子板を示しており、（ａ）はその外観斜視図、（ｂ）はそのＹ−Ｙ’線断面図である。また、図４は本発明の実施形態２に係るラッピング端子板が取付架台に取り付けられた状態を示した図である。なお、上述した実施形態１に係るラッピング端子板と同一の部材には同一の符号を付し、重複する説明は省略する。
【００３０】
これらの図に示すように、本実施形態に係るラッピング端子板１００Ａは、絶縁材料で形成された直方体状の端子取付部材１０と、導電性を有する材料で形成されたＬ字型に屈曲した角柱状の第１の端子２１ａ及び第２の端子２２ａとを有する。
【００３１】
本実施形態に係る第１の端子２１ａは、端子取付部材１０の１つの面である第１の面Ａから一方の端部が突出すると共に、第１の面Ａに隣接する４つの面である第２の面のうちの１つの面である面Ｃから他方の端部が突出した状態で端子取付部材１０に複数配設されている。
【００３２】
また、本実施形態に係る第２の端子２２ａは、端子取付部材１０の第１の面Ａに相対向する第３の面Ｂから一方の端部が突出すると共に、第１の面Ａに隣接する４つの面である第２の面のうち面Ｃ以外の面である面Ｄから他方の端部が突出した状態で端子取付部材１０に複数配設されている。なお、本実施形態では、端子取付部材１０の面Ｂと面Ｄとは相対向している。また、第１の端子２１ａ及び第２の端子２２ａは、端子取付部材１０内でずらして配設されており、両者の干渉が防止されている。
【００３３】
本実施形態にかかるラッピング端子板１００Ａは、各端子（第１の端子２１ａ及び第２の端子２２ａ）が、端子取付部材１０の、一組の相対向する２面（第１の面Ａと第３の面Ｂ）と、それらに直交するもう一組の相対向する２面（面Ｃと面Ｄ）に端部を臨ませるように、端子取付部材１０に配設されている。したがって、本実施形態にかかるラッピング端子板１００Ａによれば、従来の端子板１よりも多くの通信線を接続することができるとともに、設置空間を有効に使用することができる。
【００３４】
具体的には、上述したような本実施形態に係るラッピング端子板１００Ａは、図４に示すように、取付架台２００に取り付けられる。詳言すると、本実施形態に係るラッピング端子板１００Ａは、取付架台２００の表面側に端子取付部材１０の第１の面Ａ、面Ｃ及び面Ｄが臨み、また取付架台２００の裏面側に端子取付部材１０の第３の面Ｂが臨むように、取付架台２００に取り付けられる。なお、図４に示すように、取付架台２００のラッピング端子板１００Ａの上方に位置する部分には、取付架台２００を厚さ方向に貫通する貫通孔２０１ａが形成されており、取付架台２００の裏面側の通信線３０をこの貫通孔２０１ａから表面側に挿通させて、取付架台２００の表面側に臨んでいる各端子（第１の端子２１ａ又は第２の端子２２ａ）の端部に接続することができるようになっている。したがって、本実施形態に係るラッピング端子板１００Ａによれば、端子取付部材１０の第３の面Ｂから突出している第２の端子２２ａの端部だけでなく、端子取付部材１０の面Ｃから突出している第１の端子２１ａの端部も、通信線３０の接続に使用することができる。また、端子取付部材１０の第１の面Ａから突出している第１の端子２１ａの端部だけでなく、端子取付部材１０の面Ｄから突出している第２の端子２２ａの端部も、ジャンパ線の接続に使用することができる。
【００３５】
（実施形態３）
図５は本発明の実施形態３に係るラッピング端子板を示しており、（ａ）はその外観斜視図、（ｂ）はそのＹ−Ｙ’線断面図である。また、図６は本発明の実施形態３に係るラッピング端子板が取付架台に取り付けられた状態を示した図である。なお、上述した実施形態１及び実施形態２の実施形態に係るラッピング端子板と同一の部材には同一の符号を付し、重複する説明は省略する。
【００３６】
これらの図に示すように、本実施形態に係るラッピング端子板１００Ｂは、絶縁材料で形成された直方体状の端子取付部材１０と、導電性を有する材料で形成された、真直な角柱状の第１の端子２１ｂと、コの字型に屈曲した角柱状の第２の端子２２ｂとを有する。
【００３７】
本実施形態に係る第１の端子２１ｂは、端子取付部材１０の１つの面である第１の面Ａから一方の端部が突出すると共に、第１の面Ａに相対向する第２の面Ｂから他方の端部が突出した状態で、端子取付部材１０に複数配設されている。
【００３８】
また、本実施形態に係る第２の端子２２ｂは、図５（ｂ）に示すように、端子取付部材１０の第１の面Ａに隣接する第３の面Ｃから両端部が突出した状態で端子取付部材１０に複数配設されている。詳言すると、第２の端子２２ｂは、第３の面Ｃにおいて、第１の面Ａ側に一方の端部が突出し、第２の面Ｂ側に他方の端部が突出した状態で、端子取付部材１０に複数配設されている。また、第１の端子２１ｂ及び第２の端子２２ｂは、端子取付部材１０内でずらして配設されており、両者の干渉が防止されている。
【００３９】
本実施形態にかかるラッピング端子板１００Ｂは、各端子（第１の端子２１ｂ及び第２の端子２２ｂ）が、端子取付部材１０の、一組の相対向する２面（第１の面Ａと第２の面Ｂ）と、それらに直交する面（面Ｃ）に端部を臨ませるように、端子取付部材１０に配設されている。したがって、本実施形態にかかるラッピング端子板１００Ｂによれば、従来の端子板１よりも多くの通信線を接続することができるとともに、設置空間を有効に使用することができる。
【００４０】
具体的には、上述したような本実施形態に係るラッピング端子板１００Ｂは、図６に示すように、取付架台２００に取り付けられる。詳言すると、本実施形態に係るラッピング端子板１００Ｂは、取付架台２００の表面側に、端子取付部材１０の第１の面Ａと、第３の面Ｃの、第１の面Ａ側半面とが臨み、取付架台２００の裏面側に、端子取付部材１０の第２の面Ｂと、第３の面Ｃの、第２の面Ｂ側半面とが臨むように取付架台２００に取り付けられる。したがって、本実施形態に係るラッピング端子板１００Ｂによれば、端子取付部材１０の第２の面Ｂから突出している第１の端子２１ｂの端部だけでなく、取付架台２００の裏面側の端子取付部材１０の第３の面Ｃから突出している第２の端子２２ｂの端部も、通信線３０の接続に使用することができる。また、端子取付部材１０の第１の面Ａから突出している第１の端子２１ｂの端部だけでなく、取付架台２００の表面側の端子取付部材１０の第３の面Ｃから突出している第２の端子２２ｂの端部も、ジャンパ線の接続に使用することができる。
【００４１】
（実施形態４）
図７は本発明の実施形態４に係るラッピング端子板の外観斜視図である。また、図８（ａ）は、本発明の実施形態４に係るラッピング端子板のＹ−Ｙ’線断面図、図８（ｂ）は、本発明の実施形態４に係るラッピング端子板のＸ−Ｘ’線断面図である。なお、図８（ａ）及び図８（ｂ）はそれぞれ、取付架台に取り付けられた状態も示している。また、上述した実施形態１〜実施形態３の実施形態に係るラッピング端子板と同一の部材には同一の符号を付し、重複する説明は省略する。
【００４２】
本実施形態に係るラッピング端子板１００Ｃは、絶縁材料で形成された端子取付部材１０と、導電性を有する材料で形成されたコの字型に屈曲した角柱状の第１の端子２１ｃ、第２の端子２２ｃ及び第３の端子２３ｃとを有する。
【００４３】
第１の端子２１ｃは、端子取付部材１０の１つの面である第１の面Ｅから両端が突出した状態で端子取付部材１０に複数配設されている。詳言すると、第１の端子２１ｃは、第１の面Ｅにおいて、第１の面Ｅに隣接する面Ａ側に一方の端部が突出し、面Ａに相対向する面Ｂ側に他方の端部が突出した状態で、端子取付部材１０に複数配設されている。
【００４４】
また、第２の端子２２ｃは、端子取付部材１０の第１の面Ｅに相対向する第２の面Ｆから両端が突出した状態で端子取付部材１０に複数配設されている。詳言すると、第２の端子２２ｃは、第２の面Ｆにおいて、面Ａ側に一方の端部が突出し、面Ｂ側に他方の端部が突出した状態で、端子取付部材１０に複数配設されている。
【００４５】
また、第３の端子２３ｃは、端子取付部材１０の第１の面Ｅに隣接する４つの面である第３の面のうちの１つの面である面Ｃから両端が突出した状態で端子取付部材１０に複数配設されている。詳言すると、第３の端子２３ｃは、面Ｃにおいて、面Ａ側に一方の端部が突出し、面Ｂ側に他方の端部が突出した状態で、端子取付部材１０に複数配設されている。また、これら第１の端子２１ｃ、第２の端子２２ｃ及び第３の端子２３ｃは、端子取付部材１０内でずらして配設されており、端子同士の干渉は防止されている。
【００４６】
本実施形態にかかるラッピング端子板１００Ｃは、各端子（第１の端子２１ｃ、第２の端子２２ｃ及び第３の端子２３ｃ）が、端子取付部材１０の、一組の相対向する２面（第１の面Ｅと第２の面Ｆ）と、それらに直交する面（面Ｃ）に端部を臨ませるように、端子取付部材１０に配設されている。したがって、従来の端子板１よりも多くの通信線を接続することができるとともに、設置空間を有効に使用することができる。
【００４７】
具体的には、上述したような本実施形態に係るラッピング端子板１００Ｃは、図８（ａ）及び図８（ｂ）に示すように、取付架台２００に取り付けられる。詳言すると、本実施形態に係るラッピング端子板１００Ｃは、取付架台２００の表面側に端子取付部材１０の面Ａと、第１の面Ｅ、第２の面Ｆ及び面Ｃの面Ａ側半面とが臨み、また取付架台２００の裏面側に端子取付部材１０の面Ｂと、第１の面Ｅ、第２の面Ｆ及び面Ｃの面Ｂ側半面とが臨むように、取付架台２００に取り付けられる。したがって、本実施形態に係るラッピング端子板１００Ｃによれば、取付架台２００の裏面側に臨んでいる各端子（第１の端子２１ｃ，第２の端子２２ｃ及び第３の端子２３ｃ）の端部を通信線３０の接続に使用することができる。また、端子取付部材１０の表面側に臨んでいる各端子（第１の端子２１ｃ，第２の端子２２ｃ及び第３の端子２３ｃ）の端部の端部をジャンパ線の接続に使用することができる。
【００４８】
（他の実施形態）
以上、本発明の各実施形態について説明したが、本発明に係る端子板は、もちろんラッピング端子板に限定されるものではない。すなわち上述した各実施形態において各端子はラッピングに適した角柱形状の部材であったがこれに限定されるものではなく、円柱形状の部材であっても構わない。なお、このように各端子を円柱形状の部材にする場合は、例えば、ワニ口クリップを用いて通信線を接続すればよい。
【００４９】
また、上述した各実施形態では、端子取付部材１０の３つ又は４つの面に各端子の端部が臨んでいるような構成を示したが、もちろん、端子取付部材１０の６つの面全てに各端子の端部が臨んでいるような構成にしてもよい。これにより、より多くの通信線を接続することができるとともに、さらに設置空間を有効に使用することができる。
【図面の簡単な説明】
【００５０】
【図１】本発明の実施形態１に係るラッピング端子板の外観斜視図及び断面図である。
【図２】本発明の実施形態１に係るラッピング端子板の断面図である。
【図３】本発明の実施形態２に係るラッピング端子板の外観斜視図及び断面図である。
【図４】本発明の実施形態２に係るラッピング端子板の断面図である。
【図５】本発明の実施形態３に係るラッピング端子板の外観斜視図及び断面図である。
【図６】本発明の実施形態３に係るラッピング端子板の断面図である。
【図７】本発明の実施形態４に係るラッピング端子板の外観斜視図である。
【図８】本発明の実施形態４に係るラッピング端子板の断面図である。
【図９】従来の端子板の外観斜視図及び断面図である。
【符号の説明】
【００５１】
１０  端子取付部材
２１，２１ａ，２１ｂ，２１ｃ  第１の端子
２２，２２ａ，２２ｂ，２２ｃ  第２の端子
２３ｃ  第３の端子
３０  通信線
１００，１００Ａ，１００Ｂ，１００Ｃ  ラッピング端子板
２００  取付架台
２０１，２０１ａ  貫通孔
【図１】
2009152150.tif 000003
【図２】
2009152150.tif 000004
【図３】
2009152150.tif 000005
【図４】
2009152150.tif 000006
【図５】
2009152150.tif 000007
【図６】
2009152150.tif 000008
【図７】
2009152150.tif 000009
【図８】
2009152150.tif 000010
【図９】
2009152150.tif 000011